(57)【特許請求の範囲】
【請求項１】
複数の走査線及び複数のデータ線の交差に対応して設けられた複数の画素部が配列されてなる画素領域を有する電気光学パネルと、
前記複数の画素部に供給される画像信号の極性を第１周波数で反転させる極性反転手段と、
前記画素領域に光を照射するための光源と、
前記光源を第２周波数でパルス駆動するパルス駆動手段と、
前記第１周波数のｍ倍（ｍは１以上８以下の自然数）の８つの周波数と、前記第２周波数のｎ倍（ｎは１以上３以下の自然数）の３つの周波数との差分値の夫々が全て所定閾値より大きくなるように前記第１周波数及び前記第２周波数を設定する設定手段と
を備えることを特徴とする電気光学装置。
【請求項２】
前記第１周波数は、フレーム周波数又はフィールド周波数であることを特徴とする請求項１に記載の電気光学装置。
【請求項３】
前記第１周波数は、ＮＴＳＣ方式の周波数及びＰＡＬ方式の周波数のうちのいずれか一方であることを特徴とする請求項１又は２に記載の電気光学装置。
【請求項４】
前記設定手段は、前記第１周波数が、ＮＴＳＣ方式の周波数である場合、ＮＴＳＣ方式の周波数のｍ倍の周波数と、前記第２周波数のｎ倍の周波数との差分値が前記所定閾値より大きくなるように前記第２周波数を設定することを特徴とする請求項１に記載の電気光学装置。
【請求項５】
前記設定手段は、前記第１周波数が、ＰＡＬ方式の周波数である場合、ＰＡＬ方式の周波数のｍ倍の周波数と、前記第２周波数のｎ倍の周波数との差分値が前記所定閾値より大きくなるように前記第２周波数を設定することを特徴とする請求項１に記載の電気光学装置。
【発明の詳細な説明】
【技術分野】
【０００１】
本発明は、例えば液晶プロジェクタ等の電気光学装置の技術分野に関する。
【背景技術】
【０００２】
この種の電気光学装置を備える電子機器として、例えば画像信号の極性をフレーム毎に反転させつつ駆動する際には、光源をパルス駆動するパルス期間を、映像信号の帰線期間に同期させるという技術が提案されている（特許文献１等を参照）。
【０００３】
【特許文献１】特開平５−２１９４６２号公報
【発明の開示】
【発明が解決しようとする課題】
【０００４】
しかしながら、本願発明者による研究によれば、上述した画像信号の極性の反転駆動と光源のパルス駆動とが相互に干渉し合い、帯形状の輝度差が生じる部分（所謂、スクロールノイズ）が映像上視認されてしまうという技術的問題点がある。
【０００５】
本発明は、例えば上述した問題点に鑑みなされたものであり、例えばスクロールノイズ等の輝度差の発生を効果的に防止可能である電気光学装置を提供することを課題とする。
【課題を解決するための手段】
【０００６】
本発明の電気光学装置は上記課題を解決するために、複数の走査線及び複数のデータ線の交差に対応して設けられた複数の画素部が配列されてなる画素領域を有する電気光学パネルと、前記複数の画素部に供給される画像信号の極性を第１周波数（所謂、極性反転周波数）で反転させる極性反転手段と、前記画素領域に光を照射するための光源と、前記光源を第２周波数（所謂、パルス周波数）でパルス駆動するパルス駆動手段と、前記第１周波数における複数種類の第１周波数成分と、前記第２周波数における複数種類の第２周波数成分との差分値が所定閾値より夫々大きくなるように前記第１周波数及び前記第２周波数を設定する設定手段とを備える。
【０００７】
本発明の電気光学装置によれば、その動作時に、光源から電気光学装置における画素領域に対して光が照射される。光源から照射された光は、調光手段によって、画素領域に照射すべき光量とされてよい。即ち、画像を表示するのに適した光量になるよう調節されてよい。と同時に又は相前後して、複数の走査線及び複数のデータ線の交差に対応して設けられた複数の画素部に画像信号が供給され、複数の画素部が配列されてなる画素領域を有する電気光学パネルが駆動される。より具体的には、例えばデータ線から複数の画素部への画像信号の供給が制御されつつ走査線から走査信号が供給され、所謂アクティブマトリクス方式による画像表示が行われる。尚、画素部は、例えばＩＴＯ（Indium Tin Oxide）等の透明導電材料からなる透明電極を含んでおり、データ線及び走査線の交差に対応して、マトリクス状に複数設けられている。
【０００８】
電気光学パネルに供給される画像信号の極性は、極性反転手段によって第１周波数で反転される。即ち、画像信号は、極性が正である状態と負である状態とが、第１周波数で交互に切り替えられる。ここでの「第１周波数」は、典型的には、１フレームの画像が表示される１垂直走査期間が設定される。或いは１フレームを構成する複数のフィールドの画像（例えば、Ｒフィールドの画像、Ｇフィールドの画像、Ｂフィールドの画像など）が表示される１垂直走査期間が設定される。即ち、垂直走査期間毎に極性を反転させる、１Ｖ反転駆動が行われる。ここで、画像信号の極性が反転されつつ駆動される際には、画素領域において、データ線に沿った方向の輝度差（所謂、上下輝度ムラ）が発生する。より具体的には、画素領域のデータ線に沿った方向での位置の違いによって、画像信号が供給されるタイミングが互いに異なるため、画像信号の電位がリークしてしまい輝度差が発生する。例えば、１フレーム期間又は１フィールド期間内における、画像信号の供給されるタイミングが画素部によって異なる場合、画像信号の電位は、タイミングが遅い程、低下してしまう。よって、画像信号の極性が反転する第１周波数に起因して画面上で第１の輝度差が生じてしまう。典型的には、この第１の輝度差は、画像信号の極性が正極側及び負極側のうちいずれか一方における画面上の輝度と、いずれか他方における画面上の輝度との輝度差を意味してよい。
【０００９】
パルス駆動手段によって、光源が第２周波数でパルス駆動され、この光源によって画素領域に光が照射される。よって、光源のパルス駆動の第２周波数に起因して画面上で第２の輝度差が生じてしまう。典型的には、この第２の輝度差は、光源がパルス駆動される際の画面上の輝度と、光源がパルス駆動されない際の画面上の輝度との輝度差を意味してよい。
【００１０】
設定手段によって、第１周波数における複数種類の第１周波数成分と、第２周波数における複数種類の第２周波数成分との差分値が所定閾値より夫々大きくなるように第１周波数及び第２周波数が設定される。典型的には、複数種類の第１周波数成分を、甲、乙、丙、・・・とし、複数種類の第２周波数成分を、Ａ、Ｂ、Ｃ、・・・とした場合、差分は、甲とＡとの差分、甲とＢとの差分、甲とＣとの差分、・・・乙とＡとの差分、乙とＢとの差分、乙とＣとの差分、・・・、丙とＡとの差分、丙とＢとの差分、丙とＣとの差分、・・・として定義される。ここに、本発明に係る所定閾値とは、スクロールノイズが人の目によって視認される際の第１周波数と、第２周波数との差分値を意味してよい。この所定閾値は、実験的、理論的、経験的、又はシミュレーション等によって、スクロールノイズが人の目によって視認されるか否かや視認される度合いによって、個別具体的に定義することができる。
【００１１】
これにより、画像信号の極性が反転する第１周波数に起因する画面上の第１の輝度差が発生する一の周期と、光源のパルス周波数に起因する画面上の第２の輝度差が発生する他の周期とが同調や共鳴することを効果的に防止することができる。
【００１２】
この結果、人の目によって視認されるスクロールノイズが発生することを殆ど又は完全に防止することが可能である。以上の結果、より高品質な画像を表示することが可能となる。
【００１３】
ここで本発明の電気光学装置は特に、高品質な表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電気光学装置として、例えば電子ペーパなどの電気泳動装置等も実現することも可能である。
【００１４】
本発明の電気光学装置の一態様では、前記第１周波数は、フレーム周波数又はフィールド周波数である。
【００１５】
この態様によれば、極性反転手段によって、画像信号の極性が１フレーム期間又は１フィールド期間毎に反転される。即ち、本態様に係る電気光学装置では、所謂、１Ｖ反転駆動が行われる。
【００１６】
上述したように、１フレーム期間又は１フィールド期間毎に画像信号の極性が反転される場合には、データ線に沿った方向の輝度ムラが発生し易くなる。よって、本態様に係る電気光学装置では、スクロールノイズに加えて、データ線に沿った方向の輝度ムラを効果的に低減できる。従って、より高品質な画像を表示することが可能となる。
【００１７】
本発明の電気光学装置の他の態様では、前記第１周波数は、ＮＴＳＣ方式の周波数（60Hz）及びＰＡＬ方式の周波数（50Hz）のうちのいずれか一方である。
【００１８】
この態様によれば、ＮＴＳＣ方式の周波数（60Hz）及びＰＡＬ方式の周波数（50Hz）のうちのいずれか一方の周波数で、画像信号の極性が反転される場合において、人の目によって視認されるスクロールノイズが発生することを殆ど又は完全に防止することが可能である。
【００１９】
本発明の電気光学装置の他の態様では、前記設定手段は、前記複数種類の第２周波数成分と、前記第１周波数成分としてのＮＴＳＣ方式の周波数における複数種類の周波数成分との夫々の差分値が前記所定閾値より大きくなるように前記第２周波数を設定することに加えて、前記複数種類の第２周波数成分と、前記第１周波数成分としてのＰＡＬ方式の周波数における複数種類の周波数成分との夫々の差分値が前記所定閾値より大きくなるように前記第２周波数を設定する。
【００２０】
この態様によれば、ＮＴＳＣ方式の周波数（例えば60Hz）で画像信号の極性が反転される場合に加えて、ＰＡＬ方式の周波数（例えば50Hz）で画像信号の極性が反転される場合において、人の目によって視認されるスクロールノイズが発生することを殆ど又は完全に防止することが可能である。
【００２１】
本発明の電気光学装置の他の態様では、前記第１周波数成分における光パワーは、所定値より大きい。
【００２２】
この態様によれば、第１周波数成分における光パワーは、所定値より大きい。ここに、本発明に係る所定値とは、画面上、人の目によって視認される光パワーの値を意味してよい。この光パワーの所定値は、実験的、理論的、経験的、又はシミュレーション等によって、人の目によって視認されるか否かや視認される度合いによって、個別具体的に定義することができる。
【００２３】
これにより、第１周波数成分において、所定値より小さい光パワーを有する周波数成分については、考慮しなくてよいので、設定手段によって第１周波数及び第２周波数をより簡便に設定することができる。
【００２４】
本発明の作用及び他の利得は次に説明する実施するための最良の形態から明らかにされる。
【発明を実施するための最良の形態】
【００２５】
以下では、本発明の実施形態について図を参照しつつ説明する。
【００２６】
（電気光学装置）
本実施形態に係る電気光学装置について、図１から図１１を参照して説明する。尚、以下の実施形態では、本発明の電気光学装置の一例である駆動回路内蔵型のＴＦＴ（Thin Film Transistor）アクティブマトリクス駆動方式の液晶装置を例にとる。
【００２７】
先ず、本実施形態に係る電気光学装置における電気光学パネルの構成について、図１を参照して説明する。ここに図１は、本実施形態に係る電気光学パネルの構成を示す平面図（図１（ａ））及び、図１（ａ）中のＨ−Ｈ´線断面図（図１（ｂ））である。
【００２８】
図１（ａ）及び図１（ｂ）において、本実施形態に係る電気光学パネル１００は、ＴＦＴアレイ基板１０と対向基板２０とが対向配置されている。ＴＦＴアレイ基板１０は、例えば石英基板、ガラス基板、シリコン基板等の透明基板である。対向基板２０も、ＴＦＴアレイ基板１０と同様に、透明基板である。ＴＦＴアレイ基板１０と対向基板２０との間に液晶層５０が封入されている。ＴＦＴアレイ基板１０と対向基板２０とは、複数の画素電極が設けられた画像表示領域１０ａの周囲に位置するシール領域に設けられたシール材５２により相互に接着されている。
【００２９】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、基板間ギャップ）を所定値とするためのグラスファイバ或いはガラスビーズ等のギャップ材が散布されている。
【００３０】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００３１】
周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００３２】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００３３】
図１（ｂ）において、ＴＦＴアレイ基板１０上には、画素スイッチング用のＴＦＴや走査線、データ線等の配線が形成された後の画素電極９ａ上に、配向膜が形成されている。画素電極９ａは、ＩＴＯ膜などの透明導電膜からなり、配向膜は、ポリイミド膜などの有機膜からなる。他方、対向基板２０上には、格子状又はストライプ状の遮光膜２３が形成された後に、その全面に亘って対向電極２１が設けられており、更には最上層部分に配向膜が形成されている。対向電極２１は、ＩＴＯ膜などの透明導電膜からなり、配向膜は、ポリイミド膜などの有機膜からなる。このように構成され、画素電極９ａと対向電極２１とが対面するように配置されたＴＦＴアレイ基板１０と対向基板２０との間には、液晶層５０が形成されている。液晶層５０は、例えば一種又は数種類のネマティック液晶を混合した液晶からなり、これら一対の配向膜間で所定の配向状態をとる。
【００３４】
尚、図１（ａ）及び図１（ｂ）に示したＴＦＴアレイ基板１０上には、これらのデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学パネル１００の品質、欠陥等を検査するための検査回路等を形成してもよい。
【００３５】
（電気光学パネル）
続いて、上述した電気光学パネルにおける画素部の電気的な構成について、図２を参照して説明する。ここに図２は、本実施形態に係る電気光学パネルの画像表示領域を構成するマトリクス状に形成された複数の画素における各種素子、配線等の等価回路図である。
【００３６】
図２において、画像表示領域１０ａ（図１（ａ）参照）を構成するマトリクス状に形成された複数の画素の各々には、画素電極９ａ及びＴＦＴ３０が形成されている。ＴＦＴ３０は、画素電極９ａに電気的に接続されており、本実施形態に係る電気光学装置の動作時に画素電極９ａをスイッチング制御する。画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００３７】
ＴＦＴ３０のゲートには、走査線３ａが電気的に接続されており、電気光学パネルは、所定のタイミングで、走査線３ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎが所定のタイミングで書き込まれる。画素電極９ａを介して電気光学物質の一例としての液晶に書き込まれた所定レベルの画像信号Ｓ１、Ｓ２、・・・、Ｓｎは、対向基板に形成された対向電極との間で一定期間保持される。
【００３８】
液晶層５０（図１（ｂ）参照）を構成する液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学パネルからは画像信号に応じたコントラストをもつ光が出射される。
【００３９】
ここで保持された画像信号がリークすることを防ぐために、画素電極９ａと対向電極２１（図１（ｂ）参照）との間に形成される液晶容量と並列に蓄積容量７０が付加されている。蓄積容量７０は、画像信号の供給に応じて各画素電極９ａの電位を一時的に保持する保持容量として機能する容量素子である。蓄積容量７０の一方の電極は、画素電極９ａと並列してＴＦＴ３０のドレインに接続され、他方の電極は、定電位となるように、電位固定の容量線３００に接続されている。蓄積容量７０によれば、画素電極９ａにおける電位保持特性が向上し、コントラスト向上やフリッカの低減といった表示特性の向上が可能となる。
【００４０】
（電子機器の基本構成）
次に、本実施形態に係る電気光学装置を含む電子機器の基本構成について、図３を参照して説明する。ここに図３は、本実施形態に係る電気光学装置を含む電子機器１ａの基本構成を示すブロック図である。
【００４１】
図３において、本実施形態に係る電子機器は、上述した電気光学パネル１００と、本発明の「極性反転手段」の一例である極性反転部２１０と、本発明の「設定手段」の一例である周波数設定部２２０と、供給部２３０と、本発明の「光源」の一例である光源３１０と、本発明の「パルス駆動手段」の一例であるパルス駆動部３２０と、調光部３３０とを備えて構成されている。
【００４２】
光源３１０は、例えばハロゲンランプ等であり、比較的強い光を、所定のパルス周波数で電気光学装置における電気光学パネル１００に対して照射する。
【００４３】
パルス駆動部３２０は、光源３１０をパルス駆動する。
【００４４】
調光部３３０は、例えばしぼり又は調光シャッターであり、光源３１０から電気光学パネル１００に照射される光の光量を調節する。尚、調光部３３０は、上述したような機械的に光量を調節するものでなく、光源３１０の出力自体を制御するようなものであってもよい。
【００４５】
極性反転部２１０は、例えば演算回路やメモリ等を備えており、入力された画像信号の極性を所定期間毎に反転させて出力する。
【００４６】
周波数設定部２２０は、極性反転部２１０における極性反転周波数における複数種類の周波数成分と、光源３１０におけるパルス周波数における複数種類の第２周波数成分との差分が所定閾値より夫々大きくなるように、極性反転周波数及びパルス周波数を設定し、それらの情報を極性反転部２１０及びパルス駆動部３２０へ夫々出力する。ここに、本実施形態に係る所定閾値とは、スクロールノイズやフリッカが人の目によって視認される際の極性反転周波数と、パルス周波数との差分値を意味してよい。この所定閾値は、実験的、理論的、経験的、又はシミュレーション等によって、スクロールノイズが人の目によって視認されるか否かや視認される度合いによって、個別具体的に定義することができる。尚、液晶の極性反転周波数及び光源のパルス周波数の具体例については後述される。ここに、本実施形態に係るスクロールノイズとは、液晶の極性反転周波数に起因する画面上の第１の輝度差が発生する周期と、光源のパルス周波数に起因する画面上の第２の輝度差が発生する周期とが同調又は共鳴することによって、画面上で人の目によって視認される帯形状の輝度差を意味する。典型的には、第１の輝度差は、液晶の極性が正極側及び負極側のうちいずれか一方における画面上の輝度と、いずれか他方における画面上の輝度との輝度差を意味する。また、第２の輝度差は、光源がパルス駆動される際の画面上の輝度と、光源がパルス駆動されない際の画面上の輝度との輝度差を意味する。
【００４７】
供給部２３０は、電気光学パネル１００に電気的に接続された配線等を備えており、電気光学パネル１００に対して、画像信号を供給する。
【００４８】
また、上述した極性反転部２１０、反転周波数設定部２２０及び供給部２３０は、電気光学パネル１００の外部に設けられる外部回路として形成されてもよいし、電気光学パネル１００におけるＴＦＴアレイ基板１０上に形成されてもよい。
【００４９】
（動作原理）
続いて、本実施形態に係る電気光学装置を含む電子機器の動作及び効果について、図３に加えて、図４を参照して説明する。ここに、図４は、本実施形態に係る電気光学装置を含む電子機器の動作を示すフローチャートである。
【００５０】
図４において、本実施形態に係る電子機器の動作が開始されると、先ず、パルス周波数設定部３２０によって、光源３１０のパルス周波数が設定される（ステップＳ１１）。
【００５１】
次に、光源３１０が光源光を出射する（ステップＳ１２）。即ち、電気光学装置における電気光学パネル１００に対して、光源光が照射される。
【００５２】
と同時又は相前後して、反転周波数設定部２２０によって、極性反転部２１０における極性反転周波数が設定される（ステップＳ１３）。
【００５３】
次に、極性反転部２１０によって、画像信号の極性が、所定期間毎に反転されつつ、画像信号が出力される（ステップＳ１４）。極性反転部２１０は、典型的には、１フレームの画像が表示される１垂直走査期間毎、又は１フレームを構成する複数のフィールドの画像が表示される１垂直走査期間毎に、画像信号の極性を反転する。典型的には、１Ｖ反転駆動が行われるように画像信号の極性を反転する。この１Ｖ反転駆動は、画像信号の振幅を小さくすることができるため、省電力化を実現できるという利点がある。
【００５４】
次に、供給部２５０は、画像信号を電気光学パネル１００に供給する（ステップＳ１５）。以上のような工程（ステップＳ１１からＳ１５）が繰り返し行われることによって、本実施形態に係る電気光学装置は駆動される。即ち、電気光学パネル１００に対して画像信号が供給されると共に、電気光学パネル１００における画像表示領域１０ａ（図１（ａ）を参照）に対して光源光が照射されることで、投影画像や直視画像として画像が表示される。
【００５５】
（スクロールノイズが発生する一般的な発生原理）
次に、図５から図８を参照して、上述した画像表示領域１０ａにおいて発生し易いスクロールノイズの一般的な発生原理について説明する。
【００５６】
（液晶パネルに着目して輝度差が視認されない一般的原理）
先ず、図５及び図６を参照して、液晶パネルに着目して、輝度差が発生する一般的な原因について説明する。ここに、図５は、一般例に係る、液晶パネルが白色表示される際の光量の時間変化を示したグラフ（図５（ａ））、及び、液晶パネルが灰色表示、即ち、中間階調表示される際の光量の時間変化を示したグラフ（図５（ｂ））である。図６は、一般例に係る、液晶パネルの液晶に印加される電位の極性がフィールド単位で反転駆動される場合、映像上に輝度差が発生する様子を概念的に示した模式図である。
【００５７】
図５（ａ）に示されるように、例えばノーマリーホワイト方式の液晶パネルが白色表示される状態、即ち、液晶パネルに電圧が印加されないＯＦＦ状態においては、光源がパルス駆動される際のパルス周波数である１７６（Ｈｚ）に対応される周期である「１／１７６（秒）」の時間間隔で、光量が１４０％と変化するパルス状態にあることが分かる。典型的には、パルス周波数である１７６（Ｈｚ）は、例えばランプ等の光源の駆動周波数である８８（Ｈｚ）の２倍の値である。
【００５８】
この液晶パネルが、例えば灰色等の中間階調表示される状態においては、例えばＮＴＳＣ方式では６０（Ｈｚ）で液晶パネルの液晶に印加される電位の極性がフィールド単位で反転駆動されるが、フィールド毎に光リークが存在する。このため、図５（ｂ）に示されるように、共通電極（ＶＣＯＭ）を最適に調整した場合でも、液晶パネルを透過する光量が変化することが判明している。
【００５９】
図６に示されるように、フィールド単位で反転駆動される駆動方式、所謂、領域走査駆動方式においては、液晶パネルの液晶に正極性及び負極性の電位の極性がフィールド単位で交互に印加される。言い換えると、１フィールド毎にデータ信号の極性が反転される。
【００６０】
先ず、最初に一つのフィールド自体に着目した場合、例えば灰色等の中間階調の映像が表示された瞬間では、データ信号の書き込みを行った直後の映像の輝度が最も暗くなる。他方、データ信号の書き込みを行う直前の映像の輝度が最も明るくなる。このため、ある瞬間の映像上には、横方向に帯状に輝度差が発生する可能性がある。
【００６１】
次に、正極性の電位が液晶に印加されたフィールド（所謂、正極フィールド）と、負極性の電位が液晶に印加されたフィールド（所謂、負極フィールド）とに着目した場合、正極フィールドの輝度と、負極フィールドの輝度との間にも、輝度差が生じている。この場合における輝度差は、液晶パネルの光リーク量によって違いがある。具体的には、光リーク量が大きくなるに従って、輝度差も大きくなり、光リーク量が小さくなるに従って、輝度差も小さくなる。加えて、正極フィールドと負極フィールドとの間では光リーク量が異なる。これにより、正極フィールドと負極フィールドとの間で映像上の輝度差が発生する。
【００６２】
このように、フィールド自体に発生する映像上の輝度差に加えて又は代えて、正極フィールドと負極フィールドとの間で発生する映像上の輝度差は、例えばＮＴＳＣ方式では、６０（Ｈｚ）でスクロールしていたり、繰り返し発生したりしているので、これらの輝度差は、人の目によって一般的には視認されることはない。
【００６３】
（光源のパルス駆動及び液晶パネルに着目して輝度差が視認される一般的な原理）
次に、図７及び図８を参照して、光源のパルス駆動及び液晶パネルに着目して輝度差が視認される一般的な原理について説明する。ここに、図７は、一般例に係る、光源がパルス駆動される際に、映像上にスクロールノイズが人に視認される原理を概念的に示した模式図である。図８は、一般例に係る、光源がパルス駆動される際に、人に視認される映像上の輝度差が生じる帯の数と、パルス周波数との相関関係を概念的に示した模式図である。
【００６４】
図７の上左側部に示されるように、一般的に光源がパルス駆動される場合、光源がパルス駆動された瞬間の映像のコントラストは、パルス駆動されない最中の映像のコントラストと比較して、強調される。図７の上右側部に示されるように、このパルス駆動されない最中の映像のコントラストは平均化される。特に、光源が規則正しく所定の周期や所定の周波数でパルス駆動される場合、光源がパルス駆動された瞬間の映像が周期的に発生するため、人の目によって、帯形状の輝度差として連続して視認されることがある。この帯形状の輝度差が生じる部分の太さは、光源がパルス駆動される際のパルス周波数と相関関係を有し、光源のパルス周期が、映像上のフィールド周期と完全に同期した場合、図７の下側部に示されるように、帯形状の輝度差が生じる部分（所謂、輝度差の帯）は映像上を停止しているように視認される。また、光源のパルス周期が、映像上のフィールドの周期と僅かに異なる場合、帯形状の輝度差が生じる部分は映像上をスクロールする。尚、図７は、パルス周波数が６０Ｈｚ付近である場合を示している。このようにして、一般的にスクロールノイズが発生したり、フリッカーが発生したりする。
【００６５】
典型的には、上述した図２中のデータ線駆動回路からの出力である画像信号Ｓ１〜Ｓｎは、共通電位を中心として１水平期間毎に正極性電位と負極性電位とに極性が反転する。よって、画像信号Ｓ１〜Ｓｎ側が１水平期間毎に極性反転しつつ、走査信号Ｇ１〜Ｇｍ側は上記の順番で走査線３ａのｍ本分離れた画面の２個所に交互に出力されることになる。この結果、ある１水平期間に着目すると、例えば走査線の一部に走査される画素部は正極性電位のデータが書き込まれた領域となり、走査線の他部に走査される画素部は負極性電位のデータが書き込まれる領域となるというように、画面内が正極性領域と負極性領域に分割されたような状態となる。具体的には、例えば第１の水平期間では、第２ｍ番目の走査線１１ａが走査信号Ｇ２ｍにより走査され、負電位の画像信号が書き込まれる。第２の水平期間では第ｍ＋１番目の走査線１１ａが走査信号Ｇｍ＋１により走査され、第１の水平期間では負電位であった画素部に正電位の画像信号が書き込まれる。第３の水平期間では第１番目の走査線１１ａが走査信号Ｇ１により走査され、第１、第２の水平期間では正電位であった画素部に負電位の画像信号が書き込まれる。以降は、このような選択書き込み動作が繰り返される。画面の半分を走査し終えたときに、正極性領域と負極性領域とが完全に反転し、１画面分の書き換えが行われたことになる。この方法によれば、１垂直期間で１画面分の書き換えは２度行われる。このように、上述した本実施形態に係る電気光学装置は、表示期間では「領域走査方式」の駆動を行う。
【００６６】
図８（ａ）に示されるように、液晶パネルの液晶に印加される電位の極性が反転駆動される際の極性反転周波数が６０（Ｈｚ）であり且つ光源のパルス周波数が６０（Ｈｚ）である場合、液晶パネルの極性が反転されるフィールド周期ｔの時間間隔で、光源がパルス駆動される。具体的には、図８（ａ）では、１回目のパルス駆動とフィールド周期ｔだけ時間が経過した後の２回目のパルス駆動が図示されている。これにより、１回目のパルス駆動の際の正極フィールドと負極フィールドとの境界、及び、２回目のパルス駆動の際の正極フィールドと負極フィールドとの境界において、映像上、概ね同一の濃さの輝度差の帯が人の目に両方とも（２本とも）視認される。尚、図８（ａ）では、２つのフィールドによって構成されるフレームのフレーム周期をＴとして表現し、フィールド周期をｔで表現している。
【００６７】
他方、図８（ｂ）に示されるように、液晶パネルの液晶に印加される電位の極性が反転駆動される際の極性反転周波数が６０（Ｈｚ）であり且つ光源のパルス周波数が９０（Ｈｚ）である場合、液晶パネルの極性が反転されるフィールド周期ｔの３分の２倍（即ち、２ｔ／３）の時間間隔で、光源がパルス駆動される。具体的には、図８（ｂ）では、１回目のパルス駆動とフィールド周期ｔの３分の２倍だけ時間が経過した後の２回目のパルス駆動が図示されている。加えて、２回目のパルス駆動とフィールド周期ｔの３分の２倍だけ時間が経過した後の３回目のパルス駆動が図示されている。
【００６８】
これにより、１回目のパルス駆動の際の正極フィールドと負極フィールドとの境界、２回目のパルス駆動の際の正極フィールドと負極フィールドとの境界、及び、３回目のパルス駆動の際の正極フィールドと負極フィールドとの境界において、映像上、概ね同一の濃さの一の輝度差の帯が人の目に３本とも視認される。更に、１回目のパルス駆動の際の負極フィールドと正極フィールドとの境界、２回目のパルス駆動の際の負極フィールドと正極フィールドとの境界、及び、３回目のパルス駆動の際の負極フィールドと正極フィールドとの境界において、映像上、概ね同一の濃さの他の輝度差の帯が人の目に３本とも視認される。このように、人の目には、一の輝度差の帯が３本と、他の輝度差の帯が３本の合計６本の輝度差の帯が視認される。尚、一の輝度差の帯の濃さが、他の輝度差の帯の濃さより濃い又は薄いことは、上述したデータ信号の書き込みタイミングに加えて又は代えて、液晶パネルの光リーク量に応じて決定される。
【００６９】
（液晶の極性反転周波数及び光源のパルス周波数の一具体例）
次に、図９から図１３を参照して、本実施形態に係る液晶パネルの液晶に印加される電位の極性が反転駆動される際の極性反転周波数と、光源がパルス駆動される際のパルス周波数との差分値の一具体例について説明する。ここに、図９は、本実施形態に係る液晶の極性反転周波数の周波数成分と、光源のパルス周波数の周波数成分との差分値を示した表（図９（ａ））及び液晶の極性反転周波数の周波数成分のグループ単位での差分値の最小値を示した表（図９（ｂ））である。
【００７０】
図９（ａ）に示されるように、本実施形態に係る液晶パネルの液晶に印加される電位の極性が反転駆動される際の極性反転周波数の周波数成分の値が６０（Ｈｚ）を基準にして設定される場合、光源がパルス駆動される際のパルス周波数の周波数成分の値は１６５（Ｈｚ）を基準にして設定される。具体的には、本実施形態に係る液晶パネルの液晶の極性反転周波数の周波数成分は、１次から１２次に夫々対応して、６０、１２０、１８０、・・・、５４０、６００、６６０、及び７２０（Ｈｚ）等の６０（Ｈｚ）の倍数である。特に、これら液晶の極性反転周波数の周波数成分である６０（Ｈｚ）の倍数の周波数によって、本発明に係るＮＴＳＣ方式の周波数の一例が構成されている。
【００７１】
加えて、光源のパルス周波数の周波数成分は、１次から４次に夫々対応して、１６５、３３０、４９５、及び６６０（Ｈｚ）等の１６５（Ｈｚ）の倍数である。これにより、本実施形態に係る液晶の極性反転周波数の周波数成分の複数種類の値と、光源のパルス周波数の周波数成分の複数種類の値とを夫々比較して、液晶の極性反転周波数の周波数成分の各値と、光源のパルス周波数の周波数成分の各値との差分値を算出すると、図９（ａ）の表中の値が得られる。
【００７２】
（Ａグループ）
具体的には、図９（ａ）中に示されるように、液晶の極性反転周波数の周波数成分における１次から６次までのＡグループにおいては、液晶の極性反転周波数の１次の周波数成分である６０（Ｈｚ）と、光源のパルス周波数の１次の周波数成分である１６５（Ｈｚ）との差分値は、１０５（Ｈｚ）である。以下、概ね同様にして、液晶の極性反転周波数の３次の周波数成分である１８０（Ｈｚ）と、光源のパルス周波数の１次の周波数成分である１６５（Ｈｚ）との差分値は、１５（Ｈｚ）である。尚、図９（ａ）中の数値群Ｘ１については後述される。液晶の極性反転周波数の５次の周波数成分である３００（Ｈｚ）と、光源のパルス周波数の２次の周波数成分である３３０（Ｈｚ）との差分値は、３０（Ｈｚ）である。また、液晶の極性反転周波数の６次の周波数成分である３６０（Ｈｚ）と、光源のパルス周波数の２次の周波数成分である３３０（Ｈｚ）との差分値は、３０（Ｈｚ）である。液晶の極性反転周波数の６次の周波数成分である３６０（Ｈｚ）と、光源のパルス周波数の３次の周波数成分である４９５（Ｈｚ）との差分値は、１３５（Ｈｚ）である。液晶の極性反転周波数の６次の周波数成分である３６０（Ｈｚ）と、光源のパルス周波数の４次の周波数成分である６６０（Ｈｚ）との差分値は、３００（Ｈｚ）である。
【００７３】
（Ｂグループ）
他方、図９（ａ）中に示されるように、液晶の極性反転周波数の周波数成分における７次及び８次までのＢグループにおいては、液晶の極性反転周波数の８次の周波数成分である４８０（Ｈｚ）と、光源のパルス周波数の３次の周波数成分である４９５（Ｈｚ）との差分値は、１５（Ｈｚ）である。尚、図９（ａ）中の数値群Ｘ２については後述される。液晶の極性反転周波数の８次の周波数成分である４８０（Ｈｚ）と、光源のパルス周波数の４次の周波数成分である６６０（Ｈｚ）との差分値は、１８０（Ｈｚ）である。
【００７４】
（Ｃグループ）
他方、図９（ａ）中に示されるように、液晶の極性反転周波数の周波数成分における９次から１２次までのＣグループにおいては、液晶の極性反転周波数の１１次の周波数成分である６６０（Ｈｚ）と、光源のパルス周波数の４次の周波数成分である６６０（Ｈｚ）との差分値は、０（Ｈｚ）である。尚、液晶の極性反転周波数の周波数成分における９次から１２次までのＣグループ等の周波数成分が高次になるに従って、光パワースペクトルは低下する。このことに加えて、光源のパルス周波数の周波数成分が高次になるに従って、光パワースペクトルは低下する。典型的には、９次より高い液晶の極性反転周波数の周波数成分、或いは、４次より高い光源のパルス周波数の周波数成分については、スクロールノイズを考慮しなくてもよい。
【００７５】
以上の結果、図９（ｂ）に示されるように、光源のパルス周波数の１次の周波数成分である１６５（Ｈｚ）と、液晶の極性反転周波数の周波数成分における１次から６次までのＡグループ内の要素との差分値の最小値は、１５（Ｈｚ）である。また、光源のパルス周波数の１次の周波数成分である１６５（Ｈｚ）と、液晶の極性反転周波数の周波数成分における１次から８次までのＡグループ及びＢグループ内の要素との差分値の最小値は、１５（Ｈｚ）である。また、光源のパルス周波数の１次の周波数成分である１６５（Ｈｚ）と、液晶の極性反転周波数の周波数成分における１次から１２次までのＡグループ、Ｂグループ及びＣグループ内の要素との差分値の最小値は、１５（Ｈｚ）である。
【００７６】
概ね同様にして、図９（ｂ）に示されるように、光源のパルス周波数の２次の周波数成分である３３０（Ｈｚ）と、上述のＡグループ内の要素との差分値の最小値は、３０（Ｈｚ）である。また、光源のパルス周波数の２次の周波数成分である１６５（Ｈｚ）と、上述のＡグループ及びＢグループ内の要素との差分値の最小値は、３０（Ｈｚ）である。また、光源のパルス周波数の２次の周波数成分である１６５（Ｈｚ）と、上述のＡグループ、Ｂグループ及びＣグループ内の要素との差分値の最小値は、３０（Ｈｚ）である。尚、光源のパルス周波数の３次の周波数成分についても概ね同様である。
【００７７】
以下、概ね同様にして、図９（ｂ）に示されるように、光源のパルス周波数の４次の周波数成分である６６０（Ｈｚ）と、上述のＡグループ内の要素との差分値の最小値は、３００（Ｈｚ）である。また、光源のパルス周波数の４次の周波数成分である６６０（Ｈｚ）と、上述のＡグループ及びＢグループ内の要素との差分値の最小値は、１８０（Ｈｚ）である。また、光源のパルス周波数の４次の周波数成分である６６０（Ｈｚ）と、上述のＡグループ、Ｂグループ及びＣグループ内の要素との差分値の最小値は、０（Ｈｚ）である。
【００７８】
これにより、本実施形態に係る液晶パネルの液晶に印加される電位の極性が反転駆動される際の極性反転周波数の周波数成分と、光源がパルス駆動される際のパルス周波数の周波数成分との差分値が、液晶の極性反転周波数の周波数成分における１次から６次までのＡグループ、即ち、６０、１２０、１８０、２４０、３００、及び３６０（Ｈｚ）に加えて、７次及び８次までのＢグループ、即ち、４２０及び４８０（Ｈｚ）においては、１５（Ｈｚ）であり、所定閾値の一例である１４（Ｈｚ）より小さくなることが殆ど又は完全にない。これにより、極性反転周波数と、パルス周波数とが同調又は共鳴することに起因して、人の目によって視認されるスクロールノイズやフリッカが発生することを殆ど又は完全に防止することが可能である。
【００７９】
（光源のパルス周波数、液晶の極性反転周波数及びスクロールノイズの周波数の関係）
ここで、図１０を参照して、本実施形態に係る光源のパルス周波数と、液晶の極性反転周波数と、スクロールノイズの周波数との定量的な関係について説明する。ここに、図１０は、本実施形態に係る光源がパルス駆動される際のパルス周波数と、液晶パネルの液晶に印加される電位の極性が反転駆動される際の極性反転周波数と、発生したスクロールノイズの周波数との定量的な関係を示したグラフである。尚、図１０中の横軸は、光源のパルス周波数の値を示し、縦軸は、スクロールノイズの周波数を示す。また、図１０中で、スクロールノイズの周波数が、ゼロである場合、スクロールノイズは画面上で停止し、スクロールノイズの周波数が、負の値である場合、スクロールノイズは画面上で下側に移動し、スクロールノイズの周波数が、正の値である場合、スクロールノイズは画面上で上側に移動することが判明している。
【００８０】
また、図１０中の直線は、光源のパルス周波数の次数、及び、液晶の極性反転周波数の次数に対応して発生するスクロールノイズの周波数を示す。これらの直線を示すパルス周波数の次数と液晶の極性反転周波数の次数との組み合わせを、便宜上、「（Ｌｎ、Ｐｍ）」（但し、ｎ及びｍは自然数）と表現する。
【００８１】
図１０中の領域Ａに示されるように、光源のパルス周波数を１６５（Ｈｚ）とした場合、パルス周波数の次数が３次であり、液晶の極性反転周波数の次数が８次である直線（Ｌ３、Ｐ８）と、１６５（Ｈｚ）のパルス周波数とは、スクロールノイズの周波数が１５（Ｈｚ）の付近で交わる。このことは、上述した図９（ａ）中の数値群Ｘ２に対応される。加えて、光源のパルス周波数を１６５（Ｈｚ）とした場合、パルス周波数の次数が１次であり、液晶の極性反転周波数の次数が３次である直線（Ｌ１、Ｐ３）と、１６５（Ｈｚ）のパルス周波数とは、スクロールノイズの周波数が−１５（Ｈｚ）の付近で交わる。このことは、上述した図９（ａ）中の数値群Ｘ１に対応される。
【００８２】
言い換えると、図１０中の領域Ａに示されるように、光源のパルス周波数を１６５（Ｈｚ）とした場合、周波数の絶対値が所定閾値の一例である１４（Ｈｚ）より小さいスクロールノイズが殆ど又は完全に発生することはない。一般的に、周波数が、所定閾値の一例である１４（Ｈｚ）より小さいスクロールノイズが発生する場合、人の目によって視認されてしまう。
【００８３】
このことは、パルス周波数の次数が２次であり、液晶の極性反転周波数の次数が５次である直線（Ｌ２、Ｐ５）と、１６５（Ｈｚ）のパルス周波数とは、スクロールノイズの周波数が３０（Ｈｚ）の付近で交わることからも判明している。加えて、パルス周波数の次数が２次であり、液晶の極性反転周波数の次数が６次である直線（Ｌ２、Ｐ６）と、１６５（Ｈｚ）のパルス周波数とは、スクロールノイズの周波数が−３０（Ｈｚ）の付近で交わることからも判明している。
【００８４】
これにより、液晶の極性反転周波数の周波数成分が６０（Ｈｚ）の倍数であり、且つ、光源のパルス周波数の周波数成分が１６５（Ｈｚ）の倍数である本実施形態においては、極性反転周波数の周波数成分と、光源がパルス駆動される際のパルス周波数の周波数成分との差分値の絶対値が１５（Ｈｚ）より大きくなり、所定閾値の一例である１４（Ｈｚ）より小さくなることが殆ど又は完全にない。これにより、極性反転周波数と、パルス周波数とが同調又は共鳴することに起因して、人の目によって視認されるスクロールノイズやフリッカが発生することを殆ど又は完全に防止することが可能である。
【００８５】
（スクロールノイズ及びフリッカーの影響）
次に、図１１を参照して、本実施形態において、発生したスクロールノイズの影響について説明する。ここに、図１１は、本実施形態に係る液晶の極性反転周波数の周波数成分における光パワースペクトルと、光源のパルス周波数の周波数成分における光パワースペクトルと、スクロールノイズに起因して発生したフリッカー成分における光パワースペクトルとの定量的な関係を示したグラフである。尚、図１１中の横軸は、極性反転周波数又はパルス周波数の値を示し、縦軸は、光パワースペクトルの値を示す。
【００８６】
図１１に示されるように、液晶パネルの液晶の極性反転周波数の周波数成分のうち、０次である０（Ｈｚ）、１次である６０（Ｈｚ）、２次である１２０（Ｈｚ）、３次である１８０（Ｈｚ）、４次である２４０（Ｈｚ）、５次である３００（Ｈｚ）、及び６次である３６０（Ｈｚ）において、０（ｄＢ）、−１６（ｄＢ）、−１５（ｄＢ）、−２５（ｄＢ）、−２９（ｄＢ）、−４７（ｄＢ）、及び−３３（ｄＢ）の光パワースペクトルを夫々有する。
【００８７】
他方、光源のパルス周波数の周波数成分のうち、１次である１６５（Ｈｚ）及び２次である３３０（Ｈｚ）において、−２５（ｄＢ）及び−２６（ｄＢ）の光パワースペクトルを夫々有する。
【００８８】
上述したように、液晶パネルの極性反転周波数の３次の周波数成分である１８０（Ｈｚ）と、光源のパルス周波数の１次の周波数成分である１６５（Ｈｚ）との差分値は、１５（Ｈｚ）であるので、図１１中の横軸の１５（Ｈｚ）において、光パワースペクトルが−５０（ｄＢ）程度のフリッカー成分がスクロールノイズに起因して発生する。このフリッカー成分は、周波数が所定閾値の一例である１４（Ｈｚ）より小さくない、即ち、周波数が１４（Ｈｚ）より大きい共に、液晶パネルの１次の周波数成分の光パワースペクトルより顕著に小さい、−５０（ｄＢ）付近の光パワースペクトルであるので、一般的に、人の目によって視認されてしまうことは殆ど又は完全にない。尚、この−５０（ｄＢ）によって、本発明に係る光パワースペクトルにおける所定値の一の具体例が構成されている。
【００８９】
加えて、上述したように、液晶パネルの極性反転周波数の６次の周波数成分である３６０（Ｈｚ）と、光源のパルス周波数の２次の周波数成分である３３０（Ｈｚ）との差分値は、３０（Ｈｚ）であるので、図１１中の横軸の３０（Ｈｚ）において、光パワースペクトルが−４７（ｄＢ）程度のフリッカー成分がスクロールノイズに起因して発生する。このフリッカー成分も、周波数が所定閾値の一例である１４（Ｈｚ）より小さくない、即ち、周波数が所定閾値の一例である１４（Ｈｚ）より大きいと共に、液晶パネルの１次の周波数成分の光パワースペクトルより顕著に小さい、−４７（ｄＢ）付近の光パワースペクトルであるので、一般的に、人の目によって視認されてしまうことは殆ど又は完全にない。尚、この−４７（ｄＢ）によって、本発明に係る光パワースペクトルにおける所定値の他の具体例が構成されている。
【００９０】
これにより、極性反転周波数と、パルス周波数とが同調又は共鳴することに起因して、人の目によって視認されるスクロールノイズやフリッカが発生することを殆ど又は完全に防止することが可能である。この結果、より高品質な画像を表示することが可能となる。
【００９１】
（本実施形態の作用と効果との検討）
次に、図１２及び図１３に加えて、上述の図１０を適宜参照して、本実施形態の作用と効果とについて検討する。ここに、図１２は、比較例に係る液晶の極性反転周波数の周波数成分と、光源のパルス周波数の周波数成分との差分値を示した表（図１２（ａ））及び液晶の極性反転周波数の周波数成分のグループ単位での差分値の最小値を示した表（図１２（ｂ））である。図１３は、比較例に係る液晶の極性反転周波数の周波数成分における光パワースペクトルと、光源のパルス周波数の周波数成分における光パワースペクトルと、スクロールノイズに起因して発生したフリッカー成分における光パワースペクトルとの定量的な関係を示したグラフである。尚、図１３中の横軸は、極性反転周波数又はパルス周波数の値を示し、縦軸は、光パワースペクトルの値を示す。
【００９２】
図１２（ａ）及び図１３に示されるように、仮に、光源のパルス周波数を１７６（Ｈｚ）にした場合、液晶の極性反転周波数の３次の周波数成分である１８０（Ｈｚ）と、この光源のパルス周波数の１次の周波数成分である１７６（Ｈｚ）との差分値は、４（Ｈｚ）となってしまい、周波数が所定閾値の一例である１４（Ｈｚ）より小さいスクロールノイズが発生してしまい、人の目によって視認されてしまう。言い換えると、図１３中の横軸の４（Ｈｚ）において、光パワースペクトルが−４６（ｄＢ）程度のフリッカー成分がスクロールノイズに起因して発生してしまい、人の目によって視認されてしまう。
【００９３】
また、図１２（ａ）及び図１３に示されるように、液晶の極性反転周波数の６次の周波数成分である３６０（Ｈｚ）と、光源のパルス周波数の２次の周波数成分である３５２（Ｈｚ）との差分値は、８（Ｈｚ）となってしまい、周波数が所定閾値の一例である１４（Ｈｚ）より小さいスクロールノイズが発生してしまい、人の目によって視認されてしまう。言い換えると、図１３中の横軸の４（Ｈｚ）において、光パワースペクトルが−４０（ｄＢ）程度のフリッカー成分がスクロールノイズに起因して発生してしまい、人の目によって視認されてしまう。
【００９４】
尚、図１２（ｂ）にも示されるように、光源のパルス周波数の１次の周波数成分である１７６（Ｈｚ）と、液晶の極性反転周波数の周波数成分における１次から１２次までのＡグループ、Ｂグループ及びＣグループ内の要素との差分値の最小値は、４（Ｈｚ）である。概ね同様にして、図１２（ｂ）にも示されるように、光源のパルス周波数の２次の周波数成分である３５２（Ｈｚ）と、上述のＡグループ、Ｂグループ及びＣグループ内の要素との差分値の最小値は、８（Ｈｚ）である。
【００９５】
言い換えると、上述した図１０中の領域Ｂに示されるように、光源のパルス周波数を１７６（Ｈｚ）とした場合、パルス周波数の次数が１次であり、液晶の極性反転周波数の次数が３次である直線（Ｌ１、Ｐ３）と、１７６（Ｈｚ）のパルス周波数とは、スクロールノイズの周波数が−４（Ｈｚ）の付近で交わる。このことは、上述した図１２（ａ）中の数値群Ｙ１に対応される。
【００９６】
よって、光源のパルス周波数を１７６（Ｈｚ）とした場合、周波数の絶対値が所定閾値の一例である１４（Ｈｚ）より小さいスクロールノイズが発生してしまい、人の目によって視認されてしまう。
【００９７】
加えて、上述した図１０中の領域Ｂに示されるように、光源のパルス周波数を１７６（Ｈｚ）とした場合、パルス周波数の次数が２次であり、液晶の極性反転周波数の次数が６次である直線（Ｌ２、Ｐ６）と、１７６（Ｈｚ）のパルス周波数とは、スクロールノイズの周波数が−８（Ｈｚ）の付近で交わる。このことは、上述した図１２（ａ）中の数値群Ｙ２に対応される。
【００９８】
これに対して、本実施形態によれば、上述したように、光源のパルス周波数を１６５（Ｈｚ）の次数とすると共に、液晶パネルの極性反転周波数を６０（Ｈｚ）の次数とする。言い換えると、光源のパルス周波数の周波数成分に含まれる複数の次数成分と、液晶の極性反転周波数の周波数成分に含まれる複数の次数成分とを夫々差し引いた差分値が、所定閾値より大きくなるように、光源のパルス周波数と、液晶の極性反転周波数の周波数成分とが設定される。これにより、極性反転周波数と、パルス周波数とが同調又は共鳴することに起因して、人の目によって視認されるスクロールノイズやフリッカが発生することを殆ど又は完全に防止することが可能である。
【００９９】
（他の実施形態  −  第２実施形態  −）
（液晶の極性反転周波数、及び光源のパルス周波数の一具体例）
次に、図１４及び図１５を参照して、本実施形態に係る液晶パネルの液晶に印加される電位の極性が反転駆動される際の極性反転周波数と、光源がパルス駆動される際のパルス周波数との差分値の他の具体例について説明する。ここに、図１４は、第２実施形態に係る液晶の極性反転周波数の周波数成分と、光源のパルス周波数の周波数成分との差分値を示した表（図１４（ａ））及び液晶の極性反転周波数の周波数成分のグループ単位での差分値の最小値を示した表（図１４（ｂ））である。図１５は、本実施形態に係る液晶の極性反転周波数の周波数成分と、光パワースペクトルとの定量的な関係を示したグラフである。
【０１００】
図１４（ａ）に示されるように、第２実施形態に係る液晶パネルの液晶に印加される電位の極性が反転駆動される際の極性反転周波数の周波数成分の値が６０（Ｈｚ）を基準にして設定される場合、光源がパルス駆動される際のパルス周波数の周波数成分の値は２００（Ｈｚ）を基準にして設定される。具体的には、本実施形態に係る液晶パネルの液晶の極性反転周波数の周波数成分は、１次から１２次に夫々対応して、６０、１２０、１８０、・・・、５４０、６００、６６０、及び７２０（Ｈｚ）等の６０（Ｈｚ）の倍数である。加えて、光源のパルス周波数の周波数成分は、１次から４次に夫々対応して、２００、４００、６００、及び８００（Ｈｚ）等の２００（Ｈｚ）の倍数である。これにより、本実施形態に係る液晶の極性反転周波数の周波数成分の複数種類の値と、光源のパルス周波数の周波数成分の複数種類の値とを夫々比較して、液晶の極性反転周波数の周波数成分の各値と、光源のパルス周波数の周波数成分の各値との差分値を算出すると、図１４（ａ）の表中の値が得られる。
【０１０１】
図１４（ａ）及び図１４（ｂ）に示されるように、光源のパルス周波数の１次の周波数成分である２００（Ｈｚ）と、液晶の極性反転周波数の周波数成分における１次から１２次までのＡグループ、Ｂグループ及びＣグループ内の要素との差分値の最小値は、２０（Ｈｚ）である。
【０１０２】
概ね同様にして、図１４（ａ）及び図１４（ｂ）に示されるように、光源のパルス周波数の２次の周波数成分である４００（Ｈｚ）と、上述のＡグループ、Ｂグループ及びＣグループ内の要素との差分値の最小値は、２０（Ｈｚ）である。
【０１０３】
概ね同様にして、図１４（ａ）及び図１４（ｂ）に示されるように、光源のパルス周波数の３次の周波数成分である６００（Ｈｚ）と、上述のＡグループ及びＢグループ内の要素との差分値の最小値は、１２０（Ｈｚ）である。加えて、光源のパルス周波数の３次の周波数成分である６００（Ｈｚ）と、上述のＣグループ内の要素との差分値の最小値は、０（Ｈｚ）である。詳細には、図１５に示されるように、液晶の極性反転周波数の周波数成分が高次になるに従って、光パワースペクトルは低下する。このことに加えて、光源のパルス周波数の周波数成分が高次になるに従って、光パワースペクトルは低下する。典型的には、９次より高い液晶の極性反転周波数の周波数成分、或いは、４次より高い光源のパルス周波数の周波数成分については、スクロールノイズを考慮しなくてもよい。尚、図１５では、２種類のモデルの液晶装置を含む電子機器において、液晶の極性反転周波数の周波数成分が高次になるに従って、光パワースペクトルが低下することを定量的に示している。
【０１０４】
概ね同様にして、図１４（ａ）及び図１４（ｂ）に示されるように、光源のパルス周波数の４次の周波数成分である８００（Ｈｚ）と、上述のＡグループ、Ｂグループ及びＣグループ内の要素との差分値の最小値は、８０（Ｈｚ）である。
【０１０５】
これにより、液晶の極性反転周波数の周波数成分が６０（Ｈｚ）の倍数であり、且つ、光源のパルス周波数の周波数成分が２００（Ｈｚ）の倍数である第２実施形態においては、極性反転周波数の周波数成分と、光源がパルス駆動される際のパルス周波数の周波数成分との差分値が、極性反転周波数の１次から８次までにおいては、２０（Ｈｚ）より大きくなり、所定閾値の一例である１４（Ｈｚ）より小さくなることが殆ど又は完全にない。これにより、極性反転周波数と、パルス周波数とが同調又は共鳴することに起因して、人の目によって視認されるスクロールノイズやフリッカが発生することを殆ど又は完全に防止することが可能である。
【０１０６】
特に、上述した図１０中の領域Ｃに示されるように、液晶の極性反転周波数の周波数成分が６０（Ｈｚ）の倍数であり、且つ、光源のパルス周波数の周波数成分が２００（Ｈｚ）の倍数である第２実施形態においては、パルス周波数の次数が１次であり、液晶の極性反転周波数の次数が３次である直線（Ｌ１、Ｐ３）と、２００（Ｈｚ）のパルス周波数とは、スクロールノイズの周波数が２０（Ｈｚ）の付近で交わる。このことは、上述した図１４（ａ）中の数値群Ｙ１に対応される。加えて、光源のパルス周波数を２００（Ｈｚ）とした場合、パルス周波数の次数が２次であり、液晶の極性反転周波数の次数が７次である直線（Ｌ２、Ｐ７）と、２００（Ｈｚ）のパルス周波数とは、スクロールノイズの周波数が−２０（Ｈｚ）の付近で交わる。このことは、上述した図１４（ａ）中の数値群Ｙ２に対応される。言い換えると、光源がパルス駆動される際のパルス周波数と、液晶パネルの液晶に印加される電位の極性が反転駆動される際の極性反転周波数と、発生したスクロールノイズの周波数との定量的な関係を示したグラフである図１０上において、スクロールノイズやフリッカの発生を防止することができるパルス周波数と、液晶の極性反転周波数とを把握してよい。
【０１０７】
（第３実施形態）
（液晶の極性反転周波数及び光源のパルス周波数の他の具体例）
次に、図１６及び図１７を参照して、第３実施形態に係る液晶パネルの液晶に印加される電位の極性が反転駆動される際の極性反転周波数と、光源がパルス駆動される際のパルス周波数との差分値の他の具体例について説明する。ここに、図１６は、第３実施形態に係る液晶の極性反転周波数の周波数成分と、光源のパルス周波数の周波数成分との差分値を示した表（図１６（ａ））及び液晶の極性反転周波数の周波数成分のグループ単位での差分値の最小値を示した表（図１６（ｂ））である。図１７は、比較例に係る液晶の極性反転周波数の周波数成分と、光源のパルス周波数の周波数成分との差分値を示した表（図１７（ａ））及び液晶の極性反転周波数の周波数成分のグループ単位での差分値の最小値を示した表（図１７（ｂ））である。
【０１０８】
図１６（ａ）及び図１６（ｂ）に示されるように、光源のパルス周波数の１次の周波数成分である１６５（Ｈｚ）と、液晶の極性反転周波数の周波数成分における１次から１２次までのＡグループ、Ｂグループ及びＣグループ内の要素、即ち、５０、１００、１５０、・・・、４５０、５００、５５０、及び６００（Ｈｚ）との差分値の最小値は、１５（Ｈｚ）である。特に、これら５０（Ｈｚ）の倍数の周波数によって、本発明に係るＰＡＬ方式の周波数の一例が構成されている。
【０１０９】
概ね同様にして、図１６（ａ）及び図１６（ｂ）に示されるように、光源のパルス周波数の２次の周波数成分である３３０（Ｈｚ）と、上述のＡグループ、Ｂグループ及びＣグループ内の要素との差分値の最小値は、２０（Ｈｚ）である。
【０１１０】
概ね同様にして、図１６（ａ）及び図１６（ｂ）に示されるように、光源のパルス周波数の３次の周波数成分である４９５（Ｈｚ）と、上述のＡグループ、Ｂグループ及びＣグループ内の要素との差分値の最小値は、５（Ｈｚ）である。詳細には、上述したように、図１５に示されるように、液晶の極性反転周波数の周波数成分が高次になるに従って、光パワースペクトルは低下する。このことに加えて、光源のパルス周波数の周波数成分が高次になるに従って、光パワースペクトルは低下する。典型的には、９次より高い液晶の極性反転周波数の周波数成分、或いは、４次より高い光源のパルス周波数の周波数成分については、スクロールノイズを考慮しなくてもよい。
【０１１１】
概ね同様にして、図１６（ａ）及び図１６（ｂ）に示されるように、光源のパルス周波数の４次の周波数成分である６６０（Ｈｚ）と、上述のＡグループ、Ｂグループ及びＣグループ内の要素との差分値の最小値は、６０（Ｈｚ）である。
【０１１２】
これにより、液晶の極性反転周波数の周波数成分が５０（Ｈｚ）の倍数であり、且つ、光源のパルス周波数の周波数成分が１６５（Ｈｚ）の倍数である第３実施形態においては、極性反転周波数の周波数成分と、光源がパルス駆動される際のパルス周波数の周波数成分との差分値が、極性反転周波数の１次から８次までにおいては、所定閾値の一例である１４（Ｈｚ）より小さくなることが殆ど又は完全にない。これにより、極性反転周波数と、パルス周波数とが同調又は共鳴することに起因して、人の目によって視認されるスクロールノイズやフリッカが発生することを殆ど又は完全に防止することが可能である。
【０１１３】
特に、光源のパルス周波数である１６５（Ｈｚ）は、ＰＡＬ方式の周波数の一例である液晶の極性反転周波数である５０（Ｈｚ）に加えて、上述の図９で説明したＮＴＳＣ方式の周波数の一例である液晶の極性反転周波数である６０（Ｈｚ）に対して、スクロールノイズやフリッカの発生を防止できるので好適である。
【０１１４】
仮に、図１７（ａ）及び図１７（ｂ）に示されるように、液晶の極性反転周波数の周波数成分が５０（Ｈｚ）の倍数であり、且つ、光源のパルス周波数の周波数成分が２００（Ｈｚ）の倍数である比較例においては、光源のパルス周波数の１次の周波数成分である２００（Ｈｚ）と、液晶の極性反転周波数の周波数成分における１次から１２次までのＡグループ、Ｂグループ及びＣグループ内の要素、即ち、５０、１００、１５０、・・・、４５０、５００、５５０、及び６００（Ｈｚ）との差分値の最小値は、０（Ｈｚ）であり、周波数が所定閾値の一例である１４（Ｈｚ）より小さいスクロールノイズが発生してしまい、人の目によって視認されてしまう。具体的には、上述の図７又は図８で説明した画面上、静止したスクロールノイズが発生してしまう。
【０１１５】
（電子機器）
続いて、本実施形態に係る電子機器のより具体的な構成について、図１８を参照して説明する。以下では、本実施形態に係る電子機器の一例として、上述した電気光学装置である液晶装置を、ライトバルブとして用いたプロジェクタについて説明する。ここに図１８は、本実施形態に係るプロジェクタの構成例を示す平面図である。尚、以下では、上述した構成要素の図示を適宜省略している。
【０１１６】
図１８に示されるように、プロジェクタ１１００内部には、ハロゲンランプ等の白色光源からなるランプユニット１１０２が設けられている。このランプユニット１１０２から射出された投射光は、先ず、しぼり１１０５によって、適切な光量とされる。そして、ライトガイド１１０４内に配置された４枚のミラー１１０６及び２枚のダイクロイックミラー１１０８によってＲＧＢの３原色に分離され、各原色に対応するライトバルブとしての液晶パネル１１１０Ｒ、１１１０Ｂ及び１１１０Ｇに入射される。
【０１１７】
液晶パネル１１１０Ｒ、１１１０Ｂ及び１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【０１１８】
ここで、各液晶パネル１１１０Ｒ、１１１０Ｂ及び１１１０Ｇによる表示像について着目すると、液晶パネル１１１０Ｇによる表示像は、液晶パネル１１１０Ｒ、１１１０Ｂによる表示像に対して左右反転することが必要となる。
【０１１９】
尚、液晶パネル１１１０Ｒ、１１１０Ｂ及び１１１０Ｇには、ダイクロイックミラー１１０８によって、Ｒ、Ｇ、Ｂの各原色に対応する光が入射するので、カラーフィルタを設ける必要はない。
【０１２０】
尚、図１８を参照して説明した電子機器の他にも、モバイル型のパーソナルコンピュータや、携帯電話、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等が挙げられる。そして、これらの各種電子機器に適用可能なのは言うまでもない。
【０１２１】
本発明は、上述した実施形態に限られるものではなく、請求の範囲及び明細書全体から読み取れる発明の要旨或いは思想に反しない範囲で適宜変更可能であり、そのような変更を伴う電気光学装置、及び該電気光学装置を備えた電子機器もまた本発明の技術的範囲に含まれるものである。
【図面の簡単な説明】
【０１２２】
【図１】本実施形態に係る電気光学パネルの構成を示す平面図（図１（ａ））及び、図１（ａ）中のＨ−Ｈ´線断面図（図１（ｂ））である。
【図２】本実施形態に係る電気光学パネルの画像表示領域を構成するマトリクス状に形成された複数の画素における各種素子、配線等の等価回路図である。
【図３】本実施形態に係る電気光学装置を含む電子機器の基本構成を示すブロック図である。
【図４】本実施形態に係る電気光学装置を含む電子機器の動作を示すフローチャートである。
【図５】一般例に係る、液晶パネルが白色表示される際の光量の時間変化を示したグラフ（図５（ａ））、及び、液晶パネルが灰色表示、即ち、中間階調表示される際の光量の時間変化を示したグラフ（図５（ｂ））である。
【図６】一般例に係る、液晶パネルの液晶に印加される電位の極性がフィールド単位で反転駆動される場合、映像上に輝度差が発生する様子を概念的に示した模式図である。
【図７】一般例に係る、光源がパルス駆動される際に、映像上にスクロールノイズが人に視認される原理を概念的に示した模式図である。
【図８】一般例に係る、光源がパルス駆動される際に、人に視認される映像上の輝度差が生じる帯の数と、パルス周波数との相関関係を概念的に示した模式図である。
【図９】本実施形態に係る液晶の極性反転周波数の周波数成分と、光源のパルス周波数の周波数成分との差分値を示した表（図９（ａ））及び液晶の極性反転周波数の周波数成分のグループ単位での差分値の最小値を示した表（図９（ｂ））である。
【図１０】本実施形態に係る光源がパルス駆動される際のパルス周波数と、液晶パネルの液晶に印加される電位の極性が反転駆動される際の極性反転周波数と、発生したスクロールノイズの周波数との定量的な関係を示したグラフである。
【図１１】本実施形態に係る液晶の極性反転周波数の周波数成分における光パワースペクトルと、光源のパルス周波数の周波数成分における光パワースペクトルと、スクロールノイズに起因して発生したフリッカー成分における光パワースペクトルとの定量的な関係を示したグラフである。
【図１２】比較例に係る液晶の極性反転周波数の周波数成分と、光源のパルス周波数の周波数成分との差分値を示した表（図１２（ａ））及び液晶の極性反転周波数の周波数成分のグループ単位での差分値の最小値を示した表（図１２（ｂ））である。
【図１３】比較例に係る液晶の極性反転周波数の周波数成分における光パワースペクトルと、光源のパルス周波数の周波数成分における光パワースペクトルと、スクロールノイズに起因して発生したフリッカー成分における光パワースペクトルとの定量的な関係を示したグラフである。
【図１４】第２実施形態に係る液晶の極性反転周波数の周波数成分と、光源のパルス周波数の周波数成分との差分値を示した表（図１４（ａ））及び液晶の極性反転周波数の周波数成分のグループ単位での差分値の最小値を示した表（図１４（ｂ））である。
【図１５】本実施形態に係る液晶の極性反転周波数の周波数成分と、光パワースペクトルとの定量的な関係を示したグラフである。
【図１６】第３実施形態に係る液晶の極性反転周波数の周波数成分と、光源のパルス周波数の周波数成分との差分値を示した表（図１６（ａ））及び液晶の極性反転周波数の周波数成分のグループ単位での差分値の最小値を示した表（図１６（ｂ））である。
【図１７】比較例に係る液晶の極性反転周波数の周波数成分と、光源のパルス周波数の周波数成分との差分値を示した表（図１７（ａ））及び液晶の極性反転周波数の周波数成分のグループ単位での差分値の最小値を示した表（図１７（ｂ））である。
【図１８】本実施形態に係るプロジェクタの構成例を示す平面図である。
【符号の説明】
【０１２３】
１ａ…電子機器、３ａ…走査線、６ａ…データ線、９ａ…画素電極、１０…ＴＦＴアレイ基板、１０ａ…画像表示領域、２０…対向基板、３０…ＴＦＴ、５０…液晶層、７０…蓄積容量、１００…電気光学パネル、１０１…データ線駆動回路、１０２…外部回路接続端子、１０４…走査線駆動回路、２１０…極性反転部、２２０…周波数設定部、２３０…供給部、３１０…光源、３２０…パルス駆動部、３３０…調光部、１１００…プロジェクタ。
【図１】
0005577570.tif 000002
【図２】
0005577570.tif 000003
【図３】
0005577570.tif 000004
【図４】
0005577570.tif 000005
【図５】
0005577570.tif 000006
【図６】
0005577570.tif 000007
【図７】
0005577570.tif 000008
【図８】
0005577570.tif 000009
【図９】
0005577570.tif 000010
【図１０】
0005577570.tif 000011
【図１１】
0005577570.tif 000012
【図１２】
0005577570.tif 000013
【図１３】
0005577570.tif 000014
【図１４】
0005577570.tif 000015
【図１５】
0005577570.tif 000016
【図１６】
0005577570.tif 000017
【図１７】
0005577570.tif 000018
【図１８】
0005577570.tif 000019